(57)【特許請求の範囲】
【請求項１】
フロアに収納可能なシート本体と、
ルーフに開設された開口を開閉するスライドドアと、
上記スライドドアの外側であって上記シート本体の収納部の対応位置に設けられ、上記ルーフから上方へ展開可能なルーフシートと、
上記ルーフシートの先端側に敷設される防水シートと、を備え、
上記シート本体を上記ルーフまで伸長させてその上下端を上記ルーフおよび上記フロアに固定し、上記スライドドアを開けて上記防水シートを垂下させることにより、車室内にシークレットスペースが設定されることを特徴とするシークレットスペース配設構造。
【請求項２】
前記シート本体がジャバラ状に折り畳み可能に構成されて伸縮自在であることを特徴とする、請求項１に記載のシークレットスペース配設構造。
【請求項３】
伸長した前記シート本体と展開した前記ルーフシートとを相互に連結するようにしたことを特徴とする、請求項１又は２に記載のシークレットスペース配設構造。
【請求項４】
前記シート本体の収納部内にハンディシャワーが格納されるとともに、該収納部の蓋体に上記ハンディシャワー給水用水タンクを備えることを特徴とする、請求項１又は２に記載のシークレットスペース配設構造。
【発明の詳細な説明】
【０００１】
【発明の属する技術分野】
本発明は、乗用車等の車両において種々の用途に利用可能なシークレットスペースの配設構造に関するものである。
【０００２】
【従来の技術】
この種の車両にあっては、簡易更衣室やトイレあるいはシャワー等の空間を車外に設ける技術が創案されており、たとえば図１２に示すように、乗用車のサイドドアの外側にカーテン状の遮蔽材で更衣室兼用トイレとして構成されたシークレットスペースＳが知られている。
【０００３】
また、図１３のように、トラックの運転席の側部に化粧室として構成されたシークレットスペースＳを備えた化粧室付き車両がある。さらに、バックドアの内側に水タンクを搭載して、このタンクの水をシャワー給水用に用いるものなどが工夫されている。
【０００４】
【発明が解決しようとする課題】
しかしながら、たとえば図１２に示したもののように、シークレットスペースＳを車外に設ける場合、その使用条件は天候や季節に左右され易い。つまり雨天の日や寒い日等には実質的に使用することができない。
また、シークレットスペースＳの主要目的が着替えやトイレ、シャワー等のようにプライバシーを含んでいる場合には、このような目的のためにある程度堅牢な空間構造が要求される。ところが、このような目的の場合、機能優先の空間となったり、組立てに手間、時間がかからざるを得ない等の問題が生じる。
【０００５】
本発明は上記の点に鑑み、簡易で取扱性、使用性に優れ、多目的用途に利用可能なシークレットスペースの配設構造を提供することを目的とする。
【０００６】
【課題を解決するための手段】
本発明のシークレットスペースの配設構造は、フロアに収納可能なシート本体と、ルーフに開設された開口を開閉するスライドドアと、スライドドアの外側であってシート本体の収納部の対応位置に設けられ、ルーフから上方へ展開可能なルーフシートと、ルーフシートの先端側に敷設される防水シートと、を備え、シート本体をルーフまで伸長させてその上下端をフロアおよびルーフに固定し、スライドドアを開けて防水シートを垂下させることにより、車室内にシークレットスペースが設定されるようにしたことを特徴とする。
本発明のシークレットスペースの配設構造にあっては、伸長したシート本体と展開したルーフシートとを相互に連結するようにしている。
また、本発明のシークレットスペースの配設構造では、前記シート本体の収納部内にハンディシャワーを格納するとともに、該収納部の蓋体にハンディシャワー給水用水タンクを備えるように構成し得る。
なお、シート本体並びにルーフシートは、好ましくは、共にジャバラ状に伸縮可能に構成される。
【０００７】
本発明によれば、この種の車両において普段はトランクルームとして使用される車内空間で、必要に応じて適宜フロアとルーフの間にシークレットスペースが設定される。このシークレットスペースは車内で着替えやトイレ、シャワー等の多目的空間として利用することができるが、シート本体、好ましくはジャバラ状シート本体を伸長させるだけの簡単な作業で容易かつ効率的に組み立てることができる。
【０００８】
【発明の実施の形態】
以下、図面に基づき本発明によるシークレットスペースの配設構造の好適な実施の形態を説明する。
図１は、たとえばワンボックスカー等の乗用車に本発明のシークレットスペースＳ（一点鎖線で示される部分）を適用した例を示している。この例では、図示のようにシークレットスペースＳは、乗用車のトランクルームに配設される。
【０００９】
本発明のシークレットスペースの配設構造は、図２にも示したようにフロア１に収納可能なシート本体１０を備えている。このシート本体１０はルーフ２まで伸長され、その上下端がフロア１およびルーフ２に固定されることにより、室内にシークレットスペースＳが設定される。
ここで、シート本体１０は、フロア１から引き出してルーフ２まで伸長されるようにしており、そのために、フロア１に折り畳んで収納可能で、且つ、自由に伸縮できるよう、好ましくはジャバラ状に折り畳み可能に形成される。
【００１０】
また、ルーフ２には、ジャバラ状シート本体１０の収納部１１の対応位置に、該シート本体１０の上方へ展開可能なルーフシート１２が配置されている。これにより、伸長したジャバラ状シート本体１０と展開したルーフシート１２とが相互に連結するようになっている。このルーフシート１２も、好ましくは、シート本体１０と同様、伸縮自在にジャバラ状に形成される。
【００１１】
ジャバラ状シート本体１０は、図３に示したように概略箱型状に展開される。シート本体１０の形成材料としては、たとえばビニールシート等の薄手の防水材料或いは防水加工を施した布製などのシートが選ばれる。また、シークレットスペースＳの機能上、不透明材料を用いるとよい。また、シート本体１０の特に長さは、好適には、シークレットスペースＳを配設すべき車両の大きさに合わせて、シート本体１０をルーフ２まで伸長させるとき図３のように弛みなくほぼピンと張った状態で展開するように設定される。
【００１２】
収納部１１は図４に示されるように、例えばシート本体１０よりも一回り大きい面積を有する方形もしくは矩形或いは丸形など、袋状シート本体の形状に合わせた凹陥部により構成される。シート本体１０の下端は収納部１１の底部に固着され、またその上端は自由に上下動可能である。シート本体１０は図示のように収納部１１内に折り畳んでコンパクトに収納される。
【００１３】
ここで、収納部１１にはその開口を閉塞する蓋体１３が取り付けられている。蓋体１３は枢軸１４のまわりに回動可能に支持されており（図４参照）、シート本体１０が収納された収納部１１の凹陥部を塞ぐことによりフロア１のフロア面を構成するようになっている。また特に図４に示すように、収納部１１内にハンディシャワー１５その他の備品が格納され得るとともに、収納部１１の蓋体１３にはハンディシャワー１５のための給水用水タンク１６が備えられている。
【００１４】
ルーフシート１２は、収納部１１の真上に対応するルーフ２に配置されるが、図５に示すように上方に向かって扇状に展開するように構成される。ルーフ２には、フロアの収納部１１とほぼ同形状の開口１７が開設されており、上記扇状の一端側は、この開口１７を閉塞する蓋体１８に固着されている。蓋体１８は枢軸１９のまわりに回動可能に支持されており、図５において時計方向（矢印Ｆ）に回動させることで蓋体１８を前方に展開させることができる。また、ルーフシート１２の先端側は、室内に開放された開口端として構成され、開口１７の内側に固定されている。
【００１５】
開口１７は、スライドドア２０（図７参照）によって開閉される。ルーフシート１２は、スライドドア２０の外側に設けられるが、収納時には図７（Ｂ）に示すように蓋体１８とスライドドア２０との間にコンパクトに収納可能である。
【００１６】
ルーフシート１２の先端側には防水シート２１が付設されており、スライドドア２０を開けることで、図５に示すように防水シート２１が垂下されるようになっている。防水シート２１は、シート本体１０よりも一回り小さい面積を有する方形もしくは矩形のカーテン状に垂下される。この防水シート２１を設けることで、ハンディシャワー１５の使用中にジャバラ状シート本体１０とルーフシート１２の連結部から水が漏れるのを防ぐことができる。
【００１７】
ジャバラ状シート本体１０の上端には図５に示されるように、方形もしくは矩形のフレーム２２が付設されている。また、開口１７の周囲には、フレーム２２とほぼ同形状の固定枠体２３が固着されている。また、たとえば図６に示すように固定枠体２３に弾性爪２４を設けるとともに、フレーム２２には該弾性爪２４と係合する係合穴２５が形成される。このように構成することにより、ジャバラ状シート本体１０とルーフシート１２とを相互に連結する場合、弾性爪２４と係合穴２５を係合させることによってシート本体１０をルーフ２に固定することができる。
【００１８】
上記構成において、シート本体１０およびルーフシート１２は普段の不使用時にはそれぞれ所定の収納部に収納されている。そして、それらの収納部に蓋体１３および蓋体１８を被せることで、通常のトランクルームが構成される。
【００１９】
図７〜図１０は、シークレットスペースＳを設定するための概略手順を示している。まず、図７（Ａ）のように開口１７を塞いでいるスライドドア２０をスライドさせることで、図７（Ｂ）に示されるように開口１７を介してルーフシート１２が露呈する。また、このようにスライドドア２０を開けることで、防水シート２１が垂下される。
【００２０】
つぎに、図８のように蓋体１８を枢軸１９のまわり回動させることにより、ルーフシート１２をルーフ２上部に展開させる。一方、収納部１１を塞いでいる蓋体１３を図９のように枢軸１４のまわり回動させることにより、収納部１１内のシート本体１０が露呈する。
【００２１】
つぎに、図１０のようにフレーム２２を掴んでシート本体１０をルーフ２まで伸長させる。この場合、図示のようにシークレットスペースＳの使用者自身がシート本体１０の中に入って、シート本体１０の伸長作業を行うものとする。そしてシート本体１０を伸長させながら、フレーム２２をルーフ２側の固定枠体２３に固定し、これによりシート本体１０とルーフシート１２とを相互に連結することができる。
【００２２】
なお、シート本体１０のフレーム２２をルーフ２側の固定枠体２３に固定する場合、図１１に例示するようにワンタッチ式のロック機構２６を設けるとよい。このロック機構２６によれば、展開したシート本体１０を簡単かつ的確にルーフ２に固定することができる。
【００２３】
このように、普段はトランクルームとして使用される車内空間で、図１のようにフロア１とルーフ２との間にシークレットスペースＳが設定される。上述したように、本発明によれば、ジャバラ状シート本体１０を伸長させるだけの簡単な作業で容易かつ効率的に組み立てることができ、取扱いが極めて容易である。また、実使用において車内で着替えやトイレ、シャワー等の多目的空間として利用することができるため、その使用条件が天候や季節に左右されることがなく、使い勝手に優れている。
【００２４】
なお、シークレットスペースＳの使用後、シート本体１０をルーフ２から取り外して収納部１１に収納し、これを蓋体１３で塞ぎ、また、ルーフシート１２を下ろして蓋体１８で塞ぐとともに、スライドドア２０で開口１７を閉めることにより、トランクルームを元通りの状態にすることができる。この収納作業も手間がかからず、簡単に行うことができる。
【００２５】
【発明の効果】
以上説明したように本発明によれば、この種の車両において車内空間を有効に利用して、多機能性を有するシークレットスペースを簡単に設定することができる。従って、実使用に際して季節の寒暖や天候不順などに左右されることなく、使い勝手、使用性に優れたシークレットスペースを実現することができる等の利点を有している。
【図面の簡単な説明】
【図１】本発明の実施形態におけるトランクルームでのシークレットスペースの適用例を示す斜視図である。
【図２】本発明の実施形態におけるシークレットスペース設定時の正面図および側面図である。
【図３】本発明の実施形態におけるシークレットスペースを構成するジャバラ状シートの展開状態を示す斜視図である。
【図４】本発明の実施形態におけるジャバラ状シート本体の収納部の斜視図である。
【図５】本発明の実施形態におけるジャバラ状シートの連結部まわりを示す断面図である。
【図６】本発明の実施形態におけるジャバラ状シートの連結部の固定構造例を示す斜視図および側面である。
【図７】本発明の実施形態におけるシークレットスペースを設定するための概略手順を示すである。
【図８】本発明の実施形態におけるシークレットスペースを設定するための概略手順を示すである。
【図９】本発明の実施形態におけるシークレットスペースを設定するための概略手順を示すである。
【図１０】本発明の実施形態におけるシークレットスペースを設定するための概略手順を示すである。
【図１１】本発明の実施形態におけるシークレットスペースを設定するための概略手順を示すである。
【図１２】従来のシークレットスペースの配設構造の例を示す斜視図である。
【図１３】従来の他のシークレットスペースの配設構造の例を示す斜視図である。
【符号の説明】
１      フロア
２      ルーフ
１０    ジャバラ状シート本体
１１    収納部
１２    ルーフシート
１３    蓋体
１４    枢軸
１５    ハンディシャワー
１６    給水用水タンク
１７    開口
１８    蓋体
１９    枢軸
２０    スライドドア
２１    防水シート
２２    フレーム
２３    固定枠体
２４    弾性爪
２５    係合穴
【図１】
0003924708.tif 000002
【図２】
0003924708.tif 000003
【図３】
0003924708.tif 000004
【図４】
0003924708.tif 000005
【図５】
0003924708.tif 000006
【図６】
0003924708.tif 000007
【図７】
0003924708.tif 000008
【図８】
0003924708.tif 000009
【図９】
0003924708.tif 000010
【図１０】
0003924708.tif 000011
【図１１】
0003924708.tif 000012
【図１２】
0003924708.tif 000013
【図１３】
0003924708.tif 000014